(57)【要約】    【課題】  集合住宅等での簡易施工による工期の短縮、及び浴室ユニットを取り替えることなく安価に暖房機能が付加できることに加えて、浴槽水の暖房経路への混入がなく安全性の向上が計れる浴室暖房装置を提供する。    【解決手段】  給排気口を屋外に位置し配管類の接続部が浴室内の壁面側に位置して浴室外壁の貫通孔に設置される外壁貫通設置型の給湯付風呂釜１１と、浴槽３と、給湯付風呂釜１１と浴槽３とを接続する往き管１６と戻り管１７との追焚循環路の途中に設けられる切替機構１２と、温水循環パイプ５を配設する暖房パネル３５と、切替機構１２内に床暖房用循環ポンプ２６と熱交換器２８を内設する循環水タンク２７を備え、循環水タンク２７内の熱交換器２８と暖房パネル３５とを床暖房用循環ポンプ２６を介して接続して暖房循環路３３とした浴室暖房装置。    【選択図】  図３
2006090643.tif 000002
【特許請求の範囲】
【請求項１】
給排気口を屋外に位置し配管類の接続部が浴室内の壁面側に位置して浴室外壁の貫通孔に設置される外壁貫通設置型の給湯付風呂釜と、浴槽と、上記給湯付風呂釜と浴槽とを接続する往き管と戻り管との追焚循環路の途中に設けられる切替機構と、温水循環パイプを配設する暖房パネルと、上記切替機構内に床暖房用循環ポンプと熱交換器を内設する循環水タンクを備え、上記循環水タンク内の熱交換器と前記暖房パネルとを前記床暖房用循環ポンプを介して接続して暖房循環路としてなる浴室暖房装置。
【請求項２】
切替機構は、開閉弁と流路切替弁を追焚循環路の往き管の途中に設け、上記流路切替弁の一方は循環水タンクの出口側に接続し、他方は浴槽の循環口の入口側に接続し、上記開閉弁は浴槽の循環口の出口側に接続してなる請求項１記載の浴室暖房装置。
【請求項３】
追焚循環路と暖房循環路を注湯開閉弁を介して注湯管で接続し、暖房循環路に注湯できる請求項１又は請求項２に記載の浴室暖房装置。
【請求項４】
暖房パネルを、洗い場床、又は洗い場床と壁面に設けてなる請求項１〜請求項３のいずれかに記載の浴室暖房装置。
【発明の詳細な説明】
【技術分野】
【０００１】
本発明は、主として家庭用の浴室内洗い場床面などの暖房に好適な浴室暖房装置に関する。
【背景技術】
【０００２】
温水による浴室の床暖房装置として図９に示すように、浴室ユニット１などの床面に設置した床暖房下部体２と、給湯付風呂釜に暖房用熱源機を備えて屋外に設置した複合機２１とを接続するようにしたものが知られており、複合機２１は、追焚用燃焼部２２と追焚用循環ポンプ２３、給湯用燃焼部２４、暖房用燃焼部２５、床暖房用循環ポンプ２６等から構成され、浴室ユニット１は、下部体の洗い場床６を暖房するための下部体床面に、温水循環用の温水循環パイプ５が蛇管状に埋設されて一体の成形品となっている。
上記複合機２１の床暖房用熱交換器と床暖房用循環ポンプ２６に接続される温水循環パイプ５一体型ユニット下部体には、温水循環パイプ入口接続部９と温水循環パイプ出口接続部１０があり、其々を複合機２１の床暖房用接続口１８に配管接続し、この床暖房用熱交換器で水又は不凍液を加熱し、床暖房用循環ポンプ２６により温水を循環させて浴室ユニット下部体の温水循環パイプ５を通過させ、温水循環パイプ５が埋設されたユニット床面は、温水が通過することによる伝熱効果により暖まる構造となっている。
【０００３】
上記床暖房装置の動作は、リモコン（図示省略）等のスイッチ操作により床暖房指示が出されると、複合機２１の床暖房用循環ポンプ２６により循環水タンク２７の水が暖房用燃焼部２５に送られ、その後、暖房用燃焼部２５が燃焼し流入した水を加熱して温水として、複合機２１と浴室ユニッ１の床の温水循環パイプ５とを接続した暖房循環路３３の床暖房往き配管３１を経由して浴室ユニット洗い場床６の温水循環パイプ５へと温水が供給される。ユニット床に埋設された温水循環パイプ５を温水が通過することにより、ユニット床面への伝熱により床面が加温され床暖房を行う。ユニット床暖房で熱を奪われた温水は暖房循環路３３の床暖房戻り配管３２を経由して循環水タンク２７に戻る。また、循環水タンク２７には水が不足した場合に水を供給できる機構（図示省略）が設けられている。
【０００４】
また、別の浴室暖房装置として、外壁貫通設置型の給湯付風呂釜と浴槽とを接続する往き管と戻り管とからなる追炊き循環路の途中に設けた切替機構により、給湯付風呂釜からの湯が温水循環パイプを配設した暖房パネルを経由して追炊き循環路の戻り管に戻る経路と、浴槽に給湯されこの浴槽内の湯水が追炊き循環路の戻り管に戻る経路とに切り替えるようにした暖房装置も知られている。（特許文献１参照）。
【特許文献１】特開２００４−２８４９４号公報
【発明の開示】
【発明が解決しようとする課題】
【０００５】
上記で述べたもののうち前者の図９に示した浴室の床暖房装置の場合、給湯付風呂釜は主に戸建て住宅用に使用するものであり、集合住宅の浴室リフォーム等において浴室の床暖房をするには、浴室ユニット全体の取替え等が必要となって高額の費用がかかりその作業も困難であり、また、浴室洗い場の床暖房用熱源機を備えた複合機による床暖房装置では、浴室の床暖房のために給湯付風呂釜とは別に少なくとも専用の暖房用燃焼部が必要であり、そのために器具費用が高くなって浴室の床暖房の普及を阻害している問題があった。
【０００６】
また、後者の外壁貫通設置型の給湯付風呂釜と浴槽とを接続する追炊用の循環経路の往き管の途中に設けた切替機構によって、浴室の暖房パネルを介し浴槽を経由して循環経路に戻る流路と、浴室の暖房パネルを介さずに浴槽のみを経由する通常の追焚経路と、浴室の暖房パネルのみを経由する流路とに切り替える浴室暖房装置の場合、暖房経路と浴槽の追炊経路が流路切替弁を介して接続されており、浴槽水が暖房経路に混入しやすく、異物による暖房経路の目詰まりの心配がある問題点を有していた。
【０００７】
本発明は、集合住宅等での簡易施工による工期の短縮、及び浴室ユニットを取り替えることなく安価に暖房機能が付加できることに加えて、浴槽水の暖房経路への混入がなく安全性の向上が計れる浴室暖房装置を提供する。
【課題を解決するための手段】
【０００８】
本発明は、次のものに関する。
（１）給排気口を屋外に位置し配管類の接続部が浴室内の壁面側に位置して浴室外壁の貫通孔に設置される外壁貫通設置型の給湯付風呂釜と、浴槽と、上記給湯付風呂釜と浴槽とを接続する往き管と戻り管との追焚循環路の途中に設けられる切替機構と、温水循環パイプを配設する暖房パネルと、上記切替機構内に床暖房用循環ポンプと熱交換器を内設する循環水タンクを備え、上記循環水タンク内の熱交換器と前記暖房パネルとを前記床暖房用循環ポンプを介して接続して暖房循環路としてなる浴室暖房装置。
（２）切替機構は、開閉弁と流路切替弁を追焚循環路の往き管の途中に設け、上記流路切替弁の一方は循環水タンクの出口側に接続し、他方は浴槽の循環口の入口側に接続し、上記開閉弁は浴槽の循環口の出口側に接続してなる上記（１）記載の浴室暖房装置。
（３）追焚循環路と暖房循環路を注湯開閉弁を介して注湯管で接続し、暖房循環路に注湯できる上記（１）又は（２）に記載の浴室暖房装置。
（４）暖房パネルを、洗い場床、又は洗い場床と壁面に設けてなる上記（１）〜（３）のいずれかに記載の浴室暖房装置。
（作用）
【０００９】
本発明による浴室暖房装置では、追炊循環路の往き管の途中に設けられ、浴槽を経由する通常の追炊経路と、浴槽を介さず暖房経路のみを間接加熱する経路とに切り替える切替機構と、切替機構内に設けられた床暖房用循環ポンプと熱交換器を内設する循環水タンクと、循環水タンク内の熱交換器と暖房パネル（温水循環パイプ）とを床暖房用循環ポンプを介して接続した暖房循環路によって、三通りの作動をすることが可能となる。
その一つは通常の追焚機能であり、二つめの機能は、通常の追焚運転中において、循環水タンク内の熱交換器により暖房循環路内の水が加熱され、床暖房用循環ポンプを駆動させることにより温水が暖房パネルに配設する温水循環パイプに送られ、追焚運転と浴室の床暖房運転を同時に行う機能である。
さらに、三つめの機能は、切替機構により浴槽を介しない循環経路の流路に切替えて、循環水タンク内の温水を加熱し、循環水タンク内の熱交換器により暖房循環路内の水が加熱され、床暖房用循環ポンプを駆動させることにより温水が暖房パネルネルの温水循環パイプに送られ、浴室の床暖房運転のみを行う機能である。
【発明の効果】
【００１０】
本発明の浴室暖房装置によれば、専用の床暖房用燃焼部がなくても浴室の洗い場床面などの暖房機能を安価に付加することができるとともに、浴槽の追炊き運転と床暖房運転を同時に行うことができることに加えて、切替機構内に床暖房用循環ポンプと熱交換器を内設する循環水タンクを備え、循環水タンク内の熱交換器と暖房パネルとを床暖房用循環ポンプを介して接続して暖房循環路としており、浴槽の追炊循環路と暖房循環路が完全な別経路となり、浴槽水の暖房経路への混入による暖房経路の目詰まりの発生がなく安全性が向上する。
【発明を実施するための最良の形態】
【００１１】
本発明の浴室床暖房装置に用いる給湯付風呂釜は、通常のシャワー及び洗面所，台所等への給湯と浴槽への湯張りのための給湯用燃焼部及び追焚のための追焚用燃焼部を備える構造の給湯付風呂釜であり、浴室外壁のバランス釜給排気筒穴の四方形穴に浴室内側から嵌め込んで浴室壁面に固定し、本体の給排気部を屋外に突き出し、給水、給湯、ガス、追焚き等の配管接続部が浴室内の壁面側に配置される構造の外壁貫通設置型の給湯付風呂釜であり、施工の簡素化，工期の短縮，配管経路の短縮による浴室洗い場床暖房時の放熱ロスを少なくする。
外壁貫通設置型の給湯付風呂釜の本体には、ガス電磁弁、ファン、給湯バーナ（給湯用燃焼部）及び風呂バーナ（追焚用燃焼部）、浴槽水を強制循環させる追焚用循環ポンプ、給湯用熱交換器及び、追焚用熱交換器が設けられ、これらを制御するコントローラが配置されている。風呂釜本体の浴室内に配設される配管接続部としての往き湯口及び戻り湯口と浴室に設置される浴槽の循環口とを往き管と戻り管からなる循環経路（循環配管）で接続して、風呂釜本体と浴槽との間を湯水が循環できるようにする。
【００１２】
浴室の洗い場の床暖房するための暖房パネルには、パネル内部には、温水循環パイプ（樹脂管または金属管）等が  蛇管状に埋設されており、この暖房パネルを浴室の床面に適宣に配設する。暖房パネルを配設する位置としては、浴室の洗い場床面のみならず、浴室の壁面にも配設して輻射熱による浴室暖房効果を実現することができる。
【００１３】
浴槽を経由する通常の追焚経路と、浴槽を介さず暖房経路のみを間接加熱する経路とに切り替えるための切替機構は、給湯付風呂釜と浴槽とを接続する往き管，戻り管の追焚用循環経路の往き管の途中に設けられ、少なくとも１個以上の流路切替弁と循環水タンクを備えている。この循環水タンク内に熱交換器を配設し、切替機構内にて床暖房用循環ポンプを備えた暖房循環路を暖房パネルに接続する。
上記切替機構により、浴室洗い場の床暖房・浴槽の追焚の同時運転と、床暖房の単独運転、追焚の単独運転が可能となる。
【００１４】
切替機構は手動式又は電動式のいずれでもよく、主として三方弁や開閉弁が使用され、１個の三方弁と１個の開閉弁で切替える方法の他、２個の開閉弁と１個の逆止弁にて切り替える方法、あるいは２個の開閉弁と３個の逆止弁による方法のいずれでもよい。
【００１５】
アクチュエータの使用数を少なくするために、切替機構は、開閉弁と流路切替弁を追焚循環路の往き管の途中に設け、流路切替弁の一方は循環水タンクの出口側に接続し、他方は浴槽の循環口の入口側に接続し、開閉弁は浴槽の循環口の出口側に接続するようにするのが好ましい。
【００１６】
暖房循環路内に一定量の循環水を確保できるように、追焚循環路と暖房循環路を注湯開閉弁を介して注湯管で接続して、暖房循環路に注湯できるようにするのが好ましい。
【実施例】
【００１７】
以下、図１乃至図８を参照しながら本発明による浴室暖房装置の実施例を詳細に説明する。
図１は本発明による浴室暖房装置の一実施例による概略全体構成図、図２は本発明による浴室暖房装置の別の実施例による概略全体構成図、図３〜図５は図１及び図２に示した浴室暖房装置の要素構成図、図６〜図８は図３〜図５中における切替機構の別の実施例を示す要素構成説明図である。
【００１８】
図１において、浴室４の床暖房装置は、浴室４内に設置された浴槽３と、浴室の洗い場床６面に配設され温水循環パイプ５を樹脂シート３６に蛇管状に埋設された暖房パネル３５と、追焚用燃焼部２２、追焚用循環ポンプ２３及び給湯用燃焼部２４等を内蔵して浴室４の外壁面に給排気口を屋外に向けて設置された給湯付風呂釜１１を備え、給湯付風呂釜１１と浴槽３とは、浴槽３の循環口８に往き管１６と戻り管１７とからなる循環経路１５（循環配管）を介して連通され、浴槽３内の温水を給湯付風呂釜１１の追焚用循環ポンプ２３の駆動により戻り管１７を介して吸引し給湯付風呂釜１１の追焚用燃焼部２２で加熱し往き管１６を介して浴槽３に戻して追焚する構成とする。
図２は、前記の暖房パネル３５を浴室４壁面に配置した場合の実施例にる概略全体構成図を示す。
【００１９】
図３に示すように、循環経路１５の往き管１６の途中に三方弁（流路切替弁）１９と、開閉弁２０、循環水タンク２７からなる切替機構１２が設けられ、この切替機構１２により、往き管１６を通る温水を循環水タンク２７、三方弁（流路切替弁）１９、循環口８、開閉弁２０の順に循環し、追焚単独運転する流路と、浴槽３を介さず、循環水タンク２７、三方弁（流路切替弁）１９の順に循環する流路とに切り替えられるように配管接続して構成する。
【００２０】
なお、図３は浴槽３の追焚き単独運転の場合で、給湯付風呂釜１１のリモコンで追焚のスイッチ操作を行うと、切替機構１２が循環口８及び浴槽３を経由する方向に切り替わり、三方弁（流路切替弁）１９のＢ部とＣ部及び、開閉弁２０が開状態となる。図１及び図２中に示す追焚用循環ポンプ２３の駆動により、浴槽水は循環口８より浴槽３の戻り管１７を通り吸引され、追焚用燃焼部２２で加熱された後、浴槽３の往き管１６を通り循環水タンク２７を介して、循環口８より浴槽３へと戻される通常の追焚運転を行う。
【００２１】
図４は床暖房運転の場合であり、給湯付風呂釜１１のリモコンで床暖房のスイッチ操作を行うと、切替機構１２が床暖房する方向に切り替わり、この場合は三方弁（流路切替弁）１９のＡ部とＣ部が開状態、開閉弁２０が閉状態となる。追焚用循環ポンプ２３の駆動により、循環水タンク２７の温水が吸引され追焚用燃焼部２２で加熱される。ここで、床暖房用循環ポンプ２６の駆動により暖房循環路３３内の温水が循環され、循環水タンク２７内の熱交換器２８にて循環経路１５内の温水から暖房循環路３３内温水へ伝熱が行われ、床暖房運転を行う。
【００２２】
図５は浴槽３の追焚及び床暖房を同時に運転する場合で、給湯付風呂釜１１のリモコンで追焚、及び床暖房のスイッチ操作を行うと、切替機構１２が循環口８及び浴槽３を経由する追焚流路に切り替わり、三方弁（流路切替弁）１９のＢ部とＣ部が開状態、開閉弁２０が開状態となる。追焚用循環ポンプ２３の駆動により、浴槽水は循環口８より浴槽３の戻り管１７を通り吸引され、追焚用燃焼部２２で加熱された後、浴槽３の往き管１６を通り循環水タンク２７を介して、循環口８より浴槽３へと戻される通常の追焚運転を行う。一方、床暖房用循環ポンプ２６の駆動により暖房循環路３３内の温水が循環され、循環水タンク２７内の熱交換器２８にて循環経路１５内の温水から暖房循環路３３内温水へ伝熱が行われ、床暖房運転を行う。
ここで、追焚用燃焼部２２は、浴槽３および床暖房循環用温水のお湯の設定温度が保てるように、循環水タンク２７の湯の戻り温水温度を検出して、燃焼を制御する。
【００２３】
上記で説明した図１〜図５は、追焚用燃焼部２２で加熱された温水が、切替機構１２内に設けられた１個の三方弁（流路切替弁）１９と１個の開閉弁２０で追焚流路と、床暖房流路とに切り替られ、暖房循環水には循環水タンク２７内の熱交換器にて伝熱が発生する。さらに、専用の床暖房用循環ポンプ２６によって温水循環される。すなわち、燃焼部は一つに対して暖房循環路と追焚循環路が完全な別経路となる。これにより、床暖房運転と追焚運転を独自に行うことが可能となり、利便性の向上が図れる。また、本構成においては三方弁（流路切替弁）１９を１つとしたため、構造が容易で安価に製作することができる。
【００２４】
図１及び図２中に示す切替機構１２としては、図３に示すように１個の三方弁（流路切替弁）１９と１個の開閉弁２０で切替えられる構成とする以外に、図６に示すように２個の開閉弁２０と１個の逆止弁で切り替えられる構成、あるいは図７に示すように３個の開閉弁にて切り替えられる構成のいずれでもよい。
【００２５】
図８は、暖房循環路における循環水を循環路内に満たすために、追焚往き管から暖房循環路へ注湯開閉弁３８及び注湯管３９を備えた実施例である。通常、設置時に水もしくは不凍液を満たすこととし、設置後は暖房循環路内に備えた水流スイッチ３４にて循環流量を検知する。水流スイッチでの検知流量が基準以下となった場合は、注湯栓３７及び注湯開閉弁３８が開、開閉弁及び三方弁が閉となり、一定流量が暖房循環路へ注湯される。この時、注湯される水は給湯用燃焼部２４により加熱される方が好ましい。
【００２６】
本実施例では、給湯付風呂釜１１として、浴室外壁の給排気口用の四方形穴に浴室内側から嵌め込んで浴室壁面に固定して本体部分を屋外に突出し、湯、水、ガス等の配管接続部が浴室内の壁面側に配置される構造の壁貫通設置型（外壁貫通設置型）としたが、屋外据置式の給湯付風呂釜１１の使用も可能である。
なお、本実施例のように外壁貫通設置型の給湯付風呂釜を使用した場合には、壁貫通型の給湯付風呂釜と暖房パネル３５はどちらも浴室４の内部に位置することになるため、施工からメンテナンスに至るまでの作業を簡易化でき、また、温水循環のための床暖房用循環ポンプ２６を小型化でき、さらには循環路が短くなるので床暖房中の放熱ロスを少なくすることができる効果が得られる。
また、本実施例では、暖房パネル３５を浴室４の洗い場の床面に配設してあるが、この設置場所は浴室４の内部であれば、浴室床面又は壁面等特に限定するものではない。
【図面の簡単な説明】
【００２７】
【図１】本発明による浴室暖房装置の一実施例を示す概略全体構成図である。
【図２】図１との別の実施例による浴室暖房装置の概略全体構成図である。
【図３】図１及び図２に示した浴室暖房装置の浴槽追炊き単独運転の場合の要素構成図である。
【図４】図１及び図２に示した浴室暖房装置の床暖房運転の場合の要素構成図である。
【図５】図１及び図２に示した浴室暖房装置の浴槽追炊きと床暖房の同時運転の場合の要素構成図である。
【図６】図３〜図５中における切替機構の別実施例による要素構成説明図である。
【図７】図３〜図５中における切替機構の別実施例による要素構成説明図である。
【図８】図３〜図５中における切替機構の別実施例による要素構成説明図である。
【図９】従来例による浴室暖房装置の概略全体構成図である。
【符号の説明】
【００２８】
１  浴室ユニット                    ２  床暖房下部体
３  浴槽                            ４  浴室
５  温水循環パイプ                  ６  洗い場床
７  暖房熱源機                      ８  循環口
９  温水循環パイプ入口接続部      １０  温水循環パイプ出口接続部
１１  給湯付風呂釜                  １２  切替機構
１３  リモコン                      １４  コントロール基板
１５  循環経路（循環配管）          １６  往き管
１７  戻り管                        １８  床暖房用接続口
１９  三方弁（流路切替弁）          ２０  開閉弁
２１  複合機                        ２２  追焚用燃焼部
２３  追焚用循環ポンプ              ２４  給湯用燃焼部
２５  暖房用燃焼部                  ２６  床暖房用循環ポンプ
２７  循環水タンク                  ２８  熱交換器
２９  浴槽往き配管                  ３０  浴槽戻り配管
３１  床暖房往き配管                ３２  床暖房戻り配管
３３  暖房循環路                    ３４  水流スイッチ
３５  暖房パネル                    ３６  樹脂シート
３７  注湯栓                        ３８  注湯開閉弁
３９  注湯管
【図１】
2006090643.tif 000003
【図２】
2006090643.tif 000004
【図３】
2006090643.tif 000005
【図４】
2006090643.tif 000006
【図５】
2006090643.tif 000007
【図６】
2006090643.tif 000008
【図７】
2006090643.tif 000009
【図８】
2006090643.tif 000010
【図９】
2006090643.tif 000011